(57)【要約】【課題】制御装置をユーザが操作してコンテンツ再生指示を行なう場合には制御装置上で再生確認画面を表示し、制御装置が自動的にコンテンツ再生指示を行なう場合にはコンテンツ再生装置上で再生確認画面を表示することが可能なコンテンツ再生装置、コンテンツ再生システム及びコンテンツ再生方法を提供する。【解決手段】本発明のコンテンツ再生装置は、制御装置がコンテンツ再生装置に再生指示を行ってコンテンツの再生を行うシステムにおけるコンテンツ再生装置であり、制御装置からの再生指示を行う際に、再生指示の手順や内容、制御装置の属性情報に応じて、コンテンツ再生装置の表示部にコンテンツの再生確認画面を表示してユーザに再生可否の判断をさせるか、ユーザに確認せずに自動的に再生を開始するかを切り替える。【選択図】図４
2014112747.tif 000002
【特許請求の範囲】
【請求項１】
制御装置がコンテンツ再生装置に再生指示を行い、前記再生指示に従って前記コンテンツ再生装置がサーバから取得したコンテンツを再生するコンテンツ再生システムにおけるコンテンツ再生装置であって、
前記制御装置から前記再生指示および第１の情報を受信し、かつ前記サーバから前記コンテンツを受信する通信部と、
受信された前記第１の情報に応じて、前記コンテンツを再生するか否か、もしくは前記コンテンツを再生してよいかを確認する再生確認画面を出力するかどうかの判断を行うコンテンツ再生可否判断部と、
前記コンテンツ再生可否判断部の判断結果に応じて、前記コンテンツの再生および前記再生確認画面の表示を行う表示部と、
前記表示部が前記再生確認画面を表示した場合に、再生可否を入力する入力部と、
を具備するコンテンツ再生装置。
【請求項２】
前記通信部は、ＤＬＮＡ（Ｄｉｇｉｔａｌ  Ｌｉｖｉｎｇ  Ｎｅｔｗｏｒｋ  Ａｌｌｉａｎｃｅ）規格準拠の通信プロトコルを用いて、前記再生指示および前記コンテンツの受信を行う、ことを特徴とする請求項１記載のコンテンツ再生装置。
【請求項３】
前記第１の情報は再生可否確認要求である、ことを特徴とする請求項１記載のコンテンツ再生装置。
【請求項４】
前記コンテンツ再生可否判断部は、前記再生可否確認要求を受信した後に、前記コンテンツを再生するか否かを判断し、再生可と判断した場合は前記通信部を介して再生可能情報を前記制御装置に送信し、再生不可と判断した場合は前記通信部を介して再生不可情報を前記制御装置に送信する、ことを特徴とする請求項３記載のコンテンツ再生装置。
【請求項５】
前記コンテンツ再生可否判断部は、前記再生可否確認要求を受信した後に、前記再生確認画面を前記表示部に表示させ、前記入力部に再生可を示す入力がなされた場合に、再生可と判断する、ことを特徴とする請求項４記載のコンテンツ再生装置。
【請求項６】
前記コンテンツ再生可否判断部は、前記通信部が前記再生可否確認要求を受信した場合に、再生不可と判断して前記通信部を介して再生不可情報を前記制御装置に送信する、ことを特徴とする請求項３記載のコンテンツ再生装置。
【請求項７】
前記コンテンツ再生可否判断部は、前記再生可否確認要求が前記再生指示に含まれる場合には前記再生確認画面を前記表示部に表示させ、前記入力部に再生可を示す入力がなされた場合は再生可と判断して前記通信部を介して再生可能情報を前記制御装置に送信し、前記入力部に再生不可を示す入力がなされた場合は再生不可と判断して前記通信部を介して再生不可情報を前記制御装置に送信し、かつ前記再生可否確認要求が前記再生指示に含まれない場合には前記再生確認画面を前記表示部に表示させることなく再生可と判断して前記通信部を介して再生可能情報を前記制御装置に送信する、ことを特徴とする請求項３記載のコンテンツ再生装置。
【請求項８】
前記コンテンツ再生可否判断部は、前記再生可否確認要求が前記再生指示に含まれる場合には再生不可と判断して前記通信部を介して再生不可情報を前記制御装置に送信し、前記再生可否確認要求が前記再生指示に含まれない場合には再生可と判断して前記通信部を介して再生可能情報を前記制御装置に送信する、ことを特徴とする請求項３記載のコンテンツ再生装置。
【請求項９】
前記表示部は、前記再生可否確認要求に所定のメッセージが含まれる場合には、前記再生確認画面の表示の際に前記メッセージも併せて表示する、ことを特徴とする請求項３記載のコンテンツ再生装置。
【請求項１０】
前記第１の情報は前記制御装置からの前記再生指示がユーザの手動操作により行われたものか自動的に発生したものであるかを識別する情報である、ことを特徴とする請求項１記載のコンテンツ再生装置。
【請求項１１】
前記第１の情報は前記制御装置の属性情報である、ことを特徴とする請求項１記載のコンテンツ再生装置。
【請求項１２】
制御装置がコンテンツ再生装置に再生指示を行い、前記再生指示に従って前記コンテンツ再生装置がサーバから取得したコンテンツを再生するコンテンツ再生システムであって、
前記制御装置は、
前記再生指示および第１の情報を送信する送信部と、を具備し、
前記サーバは、
前記コンテンツを送信するデータ送信部と、を具備し、
前記コンテンツ再生装置は、
前記送信部からの前記再生指示および第１の情報を受信し、かつ前記データ送信部から前記コンテンツを受信する通信部と、
受信された前記第１の情報に応じて、前記コンテンツを再生するか否か、もしくは前記コンテンツを再生してよいかを確認する再生確認画面を出力するかどうかの判断を行うコンテンツ再生可否判断部と、
前記コンテンツ再生可否判断部の判断結果に応じて、前記コンテンツの再生および前記再生確認画面の表示を行う表示部と、
前記表示部が前記再生確認画面を表示した場合に、再生可否を入力する入力部と、
を具備することを特徴とするコンテンツ再生システム。
【請求項１３】
制御装置がコンテンツ再生装置に再生指示を行い、前記再生指示に従って前記コンテンツ再生装置がサーバから取得したコンテンツを再生するコンテンツ再生システムにおけるコンテンツ再生装置で用いられるコンテンツ再生方法であって、
前記コンテンツ再生装置が前記制御装置から前記再生指示および第１の情報を受信するステップと、
前記コンテンツ再生装置が受信した前記第１の情報に応じて、前記コンテンツを再生するか否か、もしくは前記コンテンツを再生してよいかを確認する再生確認画面を出力するかどうかの判断を行うステップと、
前記判断を行うステップの判断結果に応じて、前記コンテンツ再生装置が前記再生確認画面を表示するステップと、
前記入力部が再生可否の入力を受け付けるステップと、
前記入力を受け付けるステップの入力結果に応じて、前記コンテンツ再生装置が前記サーバから取得した前記コンテンツを再生するステップと、
からなるコンテンツ再生方法。
【発明の詳細な説明】
【技術分野】
【０００１】
本発明は、コンテンツ再生装置、コンテンツ再生システムおよびコンテンツ再生方法に関し、特に、ネットワーク上の制御装置からのコンテンツ再生指示に従いコンテンツの再生を行なうことが可能なコンテンツ再生装置、コンテンツ再生システムおよびコンテンツ再生方法に関する。
【背景技術】
【０００２】
異なるメーカーの家電機器やパーソナルコンピュータを相互接続するための標準化活動を推進している業界団体ＤＬＮＡ（Ｄｉｇｉｔａｌ  Ｌｉｖｉｎｇ  Ｎｅｔｗｏｒｋ  Ａｌｌｉａｎｃｅ）がある。ＤＬＮＡが規定するＤＬＮＡガイドラインでは、デジタルメディア・プレーヤ（ＤＭＰ）と、デジタルメディア・サーバ（ＤＭＳ）をネットワークにより相互接続して、デジタルメディア・プレーヤ（ＤＭＰ）が、デジタルメディア・サーバ（ＤＭＳ）からコンテンツデータを取得してコンテンツをリモート視聴する機能が提供されている。さらにＤＬＮＡガイドラインでは、デジタルメディア・コントローラ（ＤＭＣ）からの指示に従ってデジタルメディア・レンダラー（ＤＭＲ）がデジタルメディア・サーバ（ＤＭＳ）からコンテンツデータを取得してコンテンツをリモート視聴することも可能になっている。なお、以降では、デジタルメディア・レンダラー（ＤＭＲ）をコンテンツ再生装置、デジタルメディア・サーバ（ＤＭＳ）を単にサーバ、デジタルメディア・コントローラ（ＤＭＣ）を単に制御装置と呼ぶこととする。
【０００３】
制御装置からの再生指示に従ってコンテンツ再生装置がサーバからコンテンツデータを取得してコンテンツをリモート視聴するシステムにおける課題として、コンテンツ再生装置が何らかのコンテンツを再生しているときに、制御装置から意図せず別のコンテンツの再生指示をされた場合に、もともと再生していたコンテンツの再生が停止してしまうことがあげられる。この場合、もともと再生していたコンテンツとは、サーバからコンテンツデータを取得してリモートコンテンツをリモート視聴している場合だけではなく、コンテンツ再生装置が有するＴＶチューナを用いてのテレビ視聴や、ＳＤカード、ＵＳＢ（Ｕｎｉｖｅｒｓａｌ  Ｓｅｒｉａｌ  Ｂｕｓ）メモリ、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）に保存されたコンテンツを再生するメディアプレーヤ機能による再生、ゲームやＢＤプレーヤなど外部からの映像入力の再生、ブラウザによるＷｅｂサイト閲覧など各種アプリケーションを使用している場合なども含むものとする。
【０００４】
制御装置からの再生指示に従ってコンテンツ再生装置がサーバからコンテンツデータを取得してコンテンツをリモート視聴するシステムのユースケースとしては、ユーザが制御装置を操作してコンテンツの選択を行い、サーバからの再生を行いたいタイミングで手動操作によって再生指示を発行する場合（ユースケース１）、制御装置が自動的にインターネット上にあるサーバのコンテンツの更新などを検知し、そのタイミングで自動で再生指示を発行する場合（ユースケース２）、の２つが考えられる。
【０００５】
各ユースケースを図１、図２を用いて簡単に説明する。図１はユースケース１におけるコンテンツ再生システムの構成を示す図であり、制御装置Ａ１０２とコンテンツ再生装置１０１、およびサーバ１０３がＬＡＮ（Ｌｏｃａｌ  Ａｒｅａ  Ｎｅｔｗｏｒｋ）１０４を介して接続されているホームネットワークの構成図となっている。ＬＡＮ１０４としては有線ＬＡＮ（Ｅｔｈｅｒｎｅｔ（登録商標））もしくは無線ＬＡＮ（ＩＥＥＥ８０２．１１）が使用されることが多いがこれに限るものではない。まず、ユーザは制御装置Ａ１０２を操作し、サーバ１０３からサーバ１０３上にあるコンテンツの一覧を取得し、再生するコンテンツを選択する。次にユーザは、選択したコンテンツの再生をコンテンツ再生装置１０１に指示する操作を制御装置Ａ１０２で行なう。これにより、コンテンツ再生装置１０１は、サーバ１０３から再生すべきコンテンツのデータを取得し、コンテンツ再生装置１０１上の表示部（ディスプレイ）で映像を再生・表示する。
【０００６】
図２はユースケース２におけるコンテンツ再生システムの構成を示す図であり、制御装置Ｂ２０２とコンテンツ再生装置１０１がＬＡＮ１０４を介して接続されているホームネットワークの構成図となっている。ここでは、制御装置Ｂ２０２はＬＡＮ１０４を介してインターネット２０５と接続されており、インターネット２０５上からニュースや天気予報の更新情報、インターネット２０５上のＷｅｂサイトの更新情報など各種更新情報を取得でき、それに対応したコンテンツ（静止画、動画、音声等）を制御装置Ｂ２０２内のサーバ機能部２０３に保存できるものとする。ユーザは、インターネット２０５上で更新される情報のうち興味のあるものを事前に制御装置Ｂ２０２に登録しておくと、情報が更新されたタイミングで自動的に制御装置Ｂ２０２からコンテンツ再生装置１０１に対して、サーバ機能部２０３にダウンロード済みの更新された情報に対応するコンテンツをサーバ機能部２０３から取得して再生するように再生指示を行なう。ユーザは、コンテンツ再生装置１０１上の表示部（ディスプレイ）を見ることでそのコンテンツを視聴することができる。
【０００７】
ユースケース１の場合において「意図せず別のコンテンツの再生指示をする」という問題は、ユーザ操作の誤りによって発生する。一方、ユースケース２の場合において「意図せず別のコンテンツの再生指示をする」という問題は、登録した更新情報の中でも実際にその内容を「ユーザがもともと再生していたコンテンツの再生を停止してまでそのタイミングで閲覧したいかどうか」が、コンテンツの内容や再生指示のあったタイミングによって変化することにより発生する。
【０００８】
従来は、ユースケース１が多く、例えば、特許文献１では、ユーザ操作の誤りにより意図せず別のコンテンツの再生指示を行なってしまい、もともと再生していたコンテンツの再生が停止してしまうという問題に対して、リモートから再生を指示する際に、コンテンツ再生装置側で既にコンテンツ再生中の場合には、制御装置の画面に再生確認画面を表示する方法で回避することが開示されている。
【先行技術文献】
【特許文献】
【０００９】
【特許文献１】特開２００６−３３２８１２号公報
【発明の概要】
【発明が解決しようとする課題】
【００１０】
しかしながら、上記従来の特許文献１に記載の方法では、制御装置の画面に表示された再生確認画面をユーザが確認してから制御装置の操作を行なう必要があるため、ユースケース２のように制御装置Ｂ２０２から再生指示を行なうタイミングでユーザが制御装置Ｂ２０２の表示部を見ていないような場合には適用することが難しいという問題があった。ここで、仮にユースケース２に従来の特許文献１に記載の方法を適用した場合は、実際にはユーザはコンテンツの再生指示が行なわれるタイミングになったことすら気づかない場合が多いと考えられ、このことからもやはりユースケース２に従来の特許文献１に記載の方法を適用することはできないといえる。
【００１１】
また、ユースケース２の場合に、制御装置Ｂ２０２からの再生指示をコンテンツ再生装置１０１が受信したタイミングで無条件に再生確認画面をコンテンツ再生装置１０１の表示部上に表示する方法も考えられる。
【００１２】
しかしながら、上記場合は、図３のようにユースケース１とのユースケース２の両方の用途でコンテンツ再生装置１０１が用いられるような場合を考えると、ユースケース２のためにコンテンツ再生装置１０１が再生確認画面を出す一方で、コンテンツ再生装置１０１をユースケース１で使用するときにはユーザは制御装置Ａ１０２を操作してコンテンツの再生を指示しようとしているにも関わらず、コンテンツ再生装置１０１上でも再生確認画面が表示されてしまい、制御装置の操作だけでなくコンテンツ再生装置１０１の操作も別途行なわないとコンテンツの再生が開始できない、という問題があった。
【課題を解決するための手段】
【００１３】
上記の課題を解決するために、本発明のコンテンツ再生装置、コンテンツ再生システムおよびコンテンツ再生方法は、以下のような手段および処理手順を採用する。
【００１４】
本発明のコンテンツ装置は、制御装置がコンテンツ再生装置に再生指示を行い、再生指示に従ってコンテンツ再生装置がサーバから取得したコンテンツを再生するシステムにおけるコンテンツ再生装置であって、制御装置から再生指示および第１の情報を受信し、かつサーバからコンテンツを受信する通信部と、受信された第１の情報に基づいて、コンテンツを再生するか否か、もしくはコンテンツを再生してよいかを確認する再生確認画面を出力するかどうかの判断を行うコンテンツ再生可否判断部と、コンテンツ再生可否判断部の判断結果に応じて、コンテンツの再生および再生確認画面の表示を行う表示部と、表示部が再生確認画面を表示した場合に再生可否を入力する入力部と、を具備する。
【００１５】
このようにすれば、制御装置から送信される再生指示やその他の情報に基づいてコンテンツ再生装置がコンテンツの再生をしてよいかの再生確認画面を出す場合と出さない場合を切り替えることができる。
【００１６】
例えば、ユースケース１のようにユーザが制御装置を操作してコンテンツの選択を行い、サーバからの再生を行いたいタイミングで手動で操作を行ない再生指示を発行する場合には、制御装置側で再生確認画面を表示してコンテンツ再生装置では再生確認画面の表示を行わないようにする。ユースケース２のように制御装置は自動でインターネット上にあるサーバのコンテンツの更新などを検知し、そのタイミングで自動的に再生指示を発行する場合には、ユーザがコンテンツ再生装置の画面を見て現在再生中のコンテンツを停止し再生指示が行われたコンテンツの再生を開始するかどうかの判断を行うために、コンテンツ再生装置で再生確認画面の表示を行う。そしてこれらをコンテンツ再生装置の設定変更なしに両立することができる。
【発明の効果】
【００１７】
本発明のコンテンツ再生装置、コンテンツ再生システムおよびコンテンツ再生方法によれば、制御装置をユーザが操作してコンテンツ再生指示を行なう場合には制御装置上で再生確認画面を表示し、制御装置が自動的にコンテンツ再生指示を行なう場合にはコンテンツ再生装置上で再生確認画面を表示することを両立できるコンテンツ再生装置を実現できる。
【図面の簡単な説明】
【００１８】
【図１】本発明のユースケース１におけるコンテンツ再生システムの構成を示す図
【図２】本発明のユースケース２におけるコンテンツ再生システムの構成を示す図
【図３】本発明のユースケース１、２が混在するコンテンツ再生システムの構成を示す図
【図４】本発明の実施の形態１におけるコンテンツ再生システムの詳細構成を示す図
【図５】本発明の実施の形態１におけるコンテンツ再生装置のユースケース２の場合の処理を示すフローチャート
【図６】本発明の実施の形態１における再生確認画面の表示例を示す図
【図７】本発明の実施の形態１におけるコンテンツ再生装置のユースケース１の場合の処理を示すフローチャート
【図８】本発明の実施の形態１における再生可否確認要求の電文の例を示す図
【図９】本発明の実施の形態１における再生可否情報の電文の例を示す図
【図１０】本発明の実施の形態２におけるコンテンツ再生装置のユースケース１、２の処理を示すフローチャート
【図１１】本発明の実施の形態２における再生可否確認要求を含む再生指示の電文の例を示す図
【発明を実施するための形態】
【００１９】
本発明の実施形態について図面を参照して説明する。なお、実施の形態において同じ符号を付した構成要素が同様の動作を行う場合には、再度の説明を省略する場合がある。
【００２０】
（実施の形態１）
本発明の実施の形態１では、図３のコンテンツ再生システムの構成を一例として説明する。図３においてコンテンツ再生システムは、制御装置Ａ１０２、制御装置Ｂ２０２、コンテンツ再生装置１０１およびサーバ１０３から構成され、制御装置Ａ１０２、制御装置Ｂ２０２、コンテンツ再生装置１０１およびサーバ１０３は、ＬＡＮ１０４に接続されている。また、ＬＡＮ１０４はインターネット２０５にも接続されている。ここで、ＬＡＮ１０４とインターネット２０５の接続形態については、種々の接続形態が考えられるがその詳細はここでは省略する。
【００２１】
図４は、本発明の実施の形態１におけるコンテンツ再生システムの詳細構成を示す図である。制御装置Ａ１０２は、通信部１０２１、再生指示発行部１０２２、表示部１０２３、入力部１０２４を具備する。また、制御装置Ｂ２０２は、通信部２０２１、再生指示発行部２０２２、表示部２０２３、入力部２０２４、サーバ機能部２０３を具備する。コンテンツ再生装置１０１は、通信部１０１１、再生可否判断部１０１２、表示部１０１３、入力部１０１４、テレビ機能部１０１５を具備する。これら各部の機能や各部の関係については各部の動作の説明において後述する。
【００２２】
はじめに、ユースケース２のように制御装置Ｂ２０２が自動でインターネット２０５上にあるサーバのコンテンツの更新などを検知し、そのタイミングでコンテンツ再生装置１０１に自動的に再生指示を発行する場合について説明する。
【００２３】
まず、ユーザは制御装置Ｂ２０２の入力部２０２４を操作したり、あるいは表示部２０２３を直接操作することにより、通信部２０２１およびＬＡＮ１０４を経由してインターネット２０５上のサービスにアクセスする。ここで、アクセスするサービスには、例えばニュースや天気予報など選択した項目に関する動画コンテンツを定期的もしくは情報が発生したタイミングで配信する機能があるものとする。たとえば、ニュースを選択した場合は、新着ニュースが逐次配信されてくるようになる。制御装置Ｂ２０２は、通信部２０２１によってこのサービスに登録した場合に配信されてくる動画コンテンツを取得し、サーバ機能部２０３に保存した上で公開し、公開が完了したタイミングで再生指示発行部によって自動的にコンテンツ再生装置１０１に動画コンテンツの再生指示を送信させる。これにより、ユーザはサービスにより配信されるタイミングで更新されたコンテンツをコンテンツ再生装置１０１を用いて視聴することができる。
【００２４】
ここで、上記場合のコンテンツ再生装置１０１の動作を図５を用いて説明する。なお、配信されるタイミングまでは、ユーザはコンテンツ再生装置１０１のテレビ機能部１０１５を用いてデジタル放送を視聴しているものとする。また、テレビ機能部１０１５は本発明では詳細説明を割愛するが、デジタル放送チューナ、チャンネル／番組情報管理部、映像音声データ抽出部、映像音声データデコード部などデジタル放送視聴に必要な基本的な機能を全て内包しているものとする。
【００２５】
まず、サービスから新着情報が配信されると制御装置Ｂ２０２において再生イベントが発生する。再生イベントが発生した場合（ステップＳ５０１）、制御装置Ｂ２０２の再生指示発行部２０２２は再生可否確認要求を通信部２０２１を介してコンテンツ再生装置１０１に対して送信する（ステップＳ５０２）。
【００２６】
コンテンツ再生装置１０１において通信部１０１１が制御装置Ｂ２０２の通信部２０１１から再生可否確認要求を受信すると、再生可否判断部１０１２が再生確認画面を表示する（ステップＳ５０３）。ここで、図６は、コンテンツ再生装置１０１の表示部１０１３に表示される再生確認画面の例を示す図である。図６では、再生確認画面１０１６が表示されており、入力部１０１４または表示部１０１３を介してユーザがコンテンツの再生を行うかどうかを「はい」「いいえ」のいずれかから選択することができるようになっている。また、再生可否確認要求の中にコンテンツの内容等をユーザが認識できるようにするためのメッセージ１０１７を含む場合、このメッセージ１０１７を再生確認画面１０１６の中に表示する。これにより、ユーザは既に行っていたテレビ視聴を中断して配信された動画コンテンツを再生するのか、配信された動画コンテンツを再生せずにテレビ視聴を継続するかをコンテンツの内容に応じて選択することができる。
【００２７】
ユーザは表示部１０１３に表示された再生確認画面１０１６を確認し、入力部１０１４から再生指示操作（「はい」の選択）もしくは再生拒否操作（「いいえ」の選択）のいずれかを行う（ステップＳ５０４）。ユーザからの入力が再生指示操作だった場合には（ステップＳ５０５で「Ｙ」）再生可否判断部１０１２が記憶する再生可否情報を可に設定し（ステップＳ５０６）、ユーザからの入力が再生拒否操作だった場合には（ステップＳ５０５で「Ｎ」）再生可否情報を不可に設定する（ステップＳ５０７）。そして、再生可否判断部１０１２は、通信部１０１１を介して設定された再生可否情報を制御装置Ｂ２０２に送信する（ステップＳ５０８）。
【００２８】
制御装置Ｂ２０２は、コンテンツ再生装置１０１からの再生可否情報を通信部２０２１を用いて受信する。再生指示発行部２０２２は、受信した再生可否情報が可か不可かを判定し（ステップＳ５０９）、可だった場合には（ステップＳ５０９で「Ｙ」）、再生停止要求を通信部２０２１を介して送信し（ステップＳ５１０）、次いで再生指示を通信部２０２１を介して送信する（ステップＳ５１１）。一方、再生可否情報が不可だった場合には（ステップＳ５０９で「Ｎ」）、再生を行わないため再度再生イベント待ち状態に遷移する（ステップＳ５０１）。
【００２９】
コンテンツ再生装置１０１の再生可否判断部１０１２は、通信部１０１１を介して制御装置Ｂ２０２から再生停止要求を受信すると再生停止処理を行う（ステップＳ５１２）。なお、ここで停止するのは、コンテンツ再生装置１０１がデジタルメディア・レンダラー（ＤＭＲ）機能として再生しているコンテンツがあった場合にその再生を停止して停止状態に遷移することを意味しており、本実施の形態ではそれまではテレビ視聴を行っていることを前提としているため、実際には何も行われない。また、コンテンツ再生装置１０１の再生可否判断部１０１２は再生指示を受信すると指定されたコンテンツを制御装置Ｂ２０２のサーバ機能部２０３から取得し（ステップＳ５１３）、取得したコンテンツの再生を行う（ステップＳ５１４）。
【００３０】
次に、ユースケース１のようにユーザが制御装置Ａ１０２を操作してコンテンツの選択を行い、サーバ１０３からの再生を行いたいタイミングで手動操作によって再生指示を発行する場合について説明する。
【００３１】
まず、ユーザは、制御装置Ａ１０２の入力部１０２４を用いて入力操作を行うことにより、通信部１０２１を介してサーバ１０３からサーバ１０３に保存されているコンテンツの一覧情報を取得し、表示部１０２３に表示させる。制御装置Ａ１０２としてはスマートフォンやタブレット端末、リモコン、ノート型ＰＣ等のモバイル端末や、デスクトップ型のＰＣなどが一例として想定される。
【００３２】
次に、ユーザは、表示部１０２３に表示されたコンテンツの一覧情報から再生したいコンテンツを選び入力部１０２４から入力を行うと、再生指示発行部１０２２が生成した再生指示を通信部１０２１を介してコンテンツ再生装置１０１に送信し、コンテンツ再生装置１０１はサーバ１０３にアクセスしてコンテンツを再生する。
【００３３】
ここで、上記場合のコンテンツ再生装置１０１の動作を図７を用いて説明する。なお、配信されるタイミングまでは、ユーザはコンテンツ再生装置１０１のテレビ機能部１０１５を用いてデジタル放送を視聴しているものとする。
【００３４】
次に、サービスから新着情報が配信されると制御装置Ａ１０２において再生イベントが発生する。再生イベントが発生した場合（Ｓ７０１で「Ｙ」）、再生指示発行部１０２２は再生停止要求を通信部１０２１を介して送信し（ステップＳ７１０）、次いで再生指示を通信部１０２１を介して送信する（ステップＳ７１１）。
【００３５】
コンテンツ再生装置１０１の再生可否判断部１０１２は、制御装置Ａ１０２から再生停止要求を受信すると再生停止処理を行う（ステップＳ７１２）。なお、ここで停止するのは、コンテンツ再生装置１０１がデジタルメディア・レンダラー（ＤＭＲ）機能として再生しているコンテンツがあった場合にその再生を停止して停止状態に遷移することを意味しており、本実施の形態ではそれまではテレビ視聴を行っていることを前提としているため、実際には何も行われない。また、コンテンツ再生装置１０１の再生可否判断部１０１２は、制御装置Ａ１０２から再生指示を受信すると指定されたコンテンツをサーバ１０３から取得し（ステップＳ７１３）、取得したコンテンツの再生を行う（ステップＳ７１４）。
【００３６】
なお、ＤＬＮＡ規格においてはデジタルメディア・コントローラ（ＤＭＣ）とデジタルメディア・レンダラー（ＤＭＲ）間で再生指示、再生停止要求を行う際には、ＵＰｎＰ  ＡＶ（Ｕｎｉｖｅｒｓａｌ  Ｐｌｕｇ  ａｎｄ  Ｐｌａｙ  Ａｕｄｉｏ  Ｖｉｓｕａｌ）規格で規定されるＡＶＴ（ＡＶ  Ｔｒａｎｓｐｏｒｔ）プロトコルが使用される。例えば、再生指示はＳｅｔＡＶＴｒａｎｓｐｏｒｔＵＲＩというコンテンツを指定するコマンドとＰｌａｙという再生開始を指示するコマンドを連続的に実行することで実現され、再生停止要求はＳｔｏｐというコマンドで実現される。本実施の形態に記載の再生可否確認要求は、例えばＡＶＴプロトコルのコマンドに「Ｘ＿ＰｌａｙＣｏｎｆｉｒｍａｔｉｏｎ」というコマンドを追加し、その応答に含まれる状態値である「Ｘ_ＰｌａｙＣｏｎｆｉｒｍａｔｉｏｎＳｔａｔｅ」が「ＯＫ」ならば再生可、「ＮＧ」ならば再生不可のように規定することで実現可能である。本実施の形態では、再生可否確認要求が「Ｘ＿ＰｌａｙＣｏｎｆｉｒｍａｔｉｏｎ」コマンドを追加したＡＶＴコマンドに対応し、再生可否情報が「Ｘ＿ＰｌａｙＣｏｎｆｉｒｍａｔｉｏｎ」コマンドを追加したＡＶＴコマンドに対する応答に対応する。Ｘ＿ＰｌａｙＣｏｎｆｉｒｍａｔｉｏｎ要求の電文の一例を図８に示す。また、Ｘ＿ＰｌａｙＣｏｎｆｉｒｍａｔｉｏｎ応答の電文の一例を図９に示す。
【００３７】
上記により、本発明によれば、制御装置をユーザが操作してコンテンツ再生指示を行なう場合には制御装置上で再生確認画面を表示し、制御装置が自動的にコンテンツ再生指示を行なう場合にはコンテンツ再生装置上で再生確認画面を表示することを両立できる。
【００３８】
なお、上記では、再生可否確認要求を受信した場合には、再生確認画面１０１６を表示部１０１３に表示しユーザ操作を促す場合について説明したが、再生可否確認要求を受信した場合には再生確認画面１０１６を表示せずに、再生可否情報を不可に設定して制御装置Ｂ２０２に送信するようにしてもよい。このようにすることで、ユースケース１のようにユーザが制御装置を操作してコンテンツの選択を行い、サーバからの再生を行いたいタイミングで手動操作を行ない再生指示を発行する場合のみ再生を行うようにすることができる。
【００３９】
また、再生可否確認要求を受信した場合の動作を、再生確認画面１０１６を表示するか、再生確認画面１０１６を表示せずに再生可否情報を不可として送信するか、もしくは再生確認画面１０１６を表示せずに再生可否情報を可として送信するかを切替える設定を設けてもよい。
【００４０】
（実施の形態２）
ＤＬＮＡで規定されるデジタルメディア・コントローラ（ＤＭＣ）とデジタルメディア・レンダラー（ＤＭＲ）間でのプロトコルでは、制御装置がコンテンツ再生装置に対して再生停止要求を行った上で、再生したいコンテンツに対する再生指示を行うのが一般的である。このため、コンテンツ再生装置１０１で事前に再生されていたコンテンツの再生を止めないようにするためには、再生指示を行う前に再生可否確認を行うことが必要であった。本発明の実施の形態１では上記場合の具体例として、再生指示を行う前に再生可否確認を行う場合の処理について説明した。
【００４１】
本実施の形態は、再生指示前に再生停止要求を行う必要のないプロトコルにおいて適用できるものであり、再生指示に再生可否確認要求を含ませることにより再生指示と同時に再生可否確認要求を行うものである。
【００４２】
本実施の形態におけるコンテンツ再生システムの構成は本発明の実施の形態１と同様に図４を用いる。以降、図４の各構成要素を用いて本実施の形態における処理について説明する。
【００４３】
はじめに、ユースケース２のように制御装置が自動でインターネット２０５上にあるサーバのコンテンツの更新などを検知し、そのタイミングで自動的に再生指示を発行する場合について説明する。ユースケースの概要については本発明の実施の形態１と同じであるためここでは省略する。本実施の形態のコンテンツ再生装置１０１の動作の詳細を図１０を用いて説明する。
【００４４】
まず、コンテンツの更新などが配信されるタイミングまでは、ユーザはコンテンツ再生装置１０１のテレビ機能部１０１５を用いてデジタル放送を視聴しているものとする。
【００４５】
次に、サービスから新着情報が配信されると制御装置Ｂ２０２において再生イベントが発生する。再生イベントが発生した場合（ステップＳ１００１で「Ｙ」）、再生指示をコンテンツ再生装置１０１に対して送信する（ステップＳ１０１１）。本ユースケースでは再生確認を行う必要があるため再生指示に再生可否確認要求を含めた形で送信する。
【００４６】
コンテンツ再生装置１０１は再生指示を受信すると、再生指示の中に再生可否確認要求が含まれるかどうかをチェックする（ステップＳ１０１５）。このユースケース２の場合再生指示の中に再生可否確認要求が含まれているので（ステップＳ１０１５で「Ｙ」）、再生可否判断部１０１２が再生確認画面１０１６を表示する（ステップＳ１００３）。図６は再生確認画面１０１６を表示しているときのコンテンツ再生装置１０１の表示を説明する図であるが、この詳細な説明は本発明の実施の形態１と同様であるためここでは省略する。
【００４７】
ユーザは表示部１０１３に表示された再生確認画面１０１６を確認し、入力部１０１４から再生指示操作（「はい」の選択）もしくは再生拒否操作（「いいえ」の選択）のいずれかを行う（ステップＳ１００４）。ユーザからの入力が再生拒否操作だった場合には（ステップＳ１００５で「Ｎ」）、再生を行わない。ユーザからの入力が再生指示操作だった場合には（ステップＳ１００５で「Ｙ」）、デジタルメディア・レンダラー（ＤＭＲ）機能として再生していたコンテンツがあればその再生を停止する再生停止処理を行った上で（ステップＳ１０１２）、指定されたコンテンツを制御装置Ｂ２０２のサーバ機能部２０３から取得し（ステップＳ１０１３）、取得したコンテンツの再生を行う（ステップＳ１０１４）。
【００４８】
次に、ユースケース１のようにユーザが制御装置を操作してコンテンツの選択を行い、サーバからの再生を行いたいタイミングで手動で操作を行ない再生指示を発行する場合について説明する。ユースケースの概要については本発明の実施の形態１と同じであるためここでは省略する。本実施の形態のコンテンツ再生装置１０１の動作の詳細を図１０を用いて説明する。
【００４９】
まず、コンテンツの更新などが配信されるタイミングまでは、ユーザはコンテンツ再生装置１０１のテレビ機能部１０１５を用いてデジタル放送を視聴しているものとする。
【００５０】
次に、サービスから新着情報が配信されると制御装置Ｂ２０２において再生イベントが発生する。再生イベントが発生した場合（ステップＳ１００１で「Ｙ」）、再生指示をコンテンツ再生装置１０１に対して送信する（ステップＳ１０１１）。本ユースケースでは再生確認を行う必要がないため、再生指示に再生可否確認要求を含めない形で送信する。
【００５１】
コンテンツ再生装置１０１は再生指示を受信すると、再生指示の中に再生可否確認要求が含まれるかどうかをチェックする（ステップＳ１０１５）。このユースケース１の場合再生指示の中に再生可否確認要求が含まれないので（ステップＳ１０１５で「Ｎ」）、ユーザからの入力が再生指示操作だった場合には、デジタルメディア・レンダラー（ＤＭＲ）機能として再生していたコンテンツがあればその再生を停止する再生停止処理を行った上で（ステップＳ１０１２）、指定されたコンテンツを制御装置Ｂ２０２のサーバ機能部２０３から取得し（ステップＳ１０１３）、取得したコンテンツの再生を行う（ステップＳ１０１４）。
【００５２】
なお、ＤＬＮＡ規格においてはデジタルメディア・コントローラ（ＤＭＣ）とデジタルメディア・レンダラー（ＤＭＲ）間で用いられるＡＶＴプロトコルの拡張として実装する場合、Ｐｌａｙコマンドに「Ｘ＿ＰｌａｙＣｏｎｆｉｒｍａｔｉｏｎ」の要素を追加することで実現可能である。Ｘ＿ＰｌａｙＣｏｎｆｉｒｍａｔｉｏｎの要素を含むＰｌａｙ要求の電文の一例を図１１に示す。
【００５３】
上記により、本発明によれば、制御装置をユーザが操作してコンテンツ再生指示を行なう場合には制御装置上で再生確認画面を表示し、制御装置が自動的にコンテンツ再生指示を行なう場合にはコンテンツ再生装置上で再生確認画面を表示する、ことを両立できるコンテンツ再生装置を実現できる。
【００５４】
なお、上記では、再生可否確認要求を含む再生指示を受信した場合には、再生確認画面１０１６を表示部１０１３に表示しユーザ操作を促す場合について説明したが、再生可否確認要求を受信した場合には再生確認画面すら表示せずに再生を行わないようにしてもよい。このようにすることで、ユースケース１のようにユーザが制御装置を操作してコンテンツの選択を行い、サーバからの再生を行いたいタイミングで手動操作によって再生指示を発行する場合のみ再生を行うようにすることができる。
【００５５】
また、再生可否確認要求を含む再生指示を受信した場合の動作を、再生確認画面１０１６を表示するか、再生確認画面１０１６を表示せずに再生を行わないか、もしくは再生確認画面１０１６を表示せずに再生を行うかを切替える設定を設けてもよい。
【００５６】
なお、本発明の実施の形態１および実施の形態２では、制御装置から送信される再生可否確認要求にもとづいて再生確認画面１０１６の表示を行うかどうかを切替える場合について説明したが、再生可否確認要求以外の情報に基づいて再生確認画面の表示を行うかどうかを切り替えるようにしてもよい。例えば、制御装置からの再生指示がユーザの手動操作により行われたものか自動的に発生したものであるかを識別する情報が取得できる場合、その情報に基づいて再生確認画面１０１６の表示を行うかどうかを切り替えるようにしてもよい。また、制御装置の属性情報を取得できる場合、その情報に基づいて再生確認画面１０１６の表示を行うかどうかを切り替えるようにしてもよい。制御装置の属性情報としては、制御装置の商品の型番情報であったり、制御装置に指定された識別名やＩＤ、もしくはＩＰアドレス情報やＭＡＣアドレス情報であってもよい。さらに、制御装置の属性情報に応じて再生確認画面１０１６の表示を行うかどうかを切り替える場合は、本発明のコンテンツ再生装置１０１内で各制御装置に対するテーブルを用意し、それぞれに対して再生確認画面１０１６を表示するか、表示せずに再生するか、表示せずに再生しないかの設定ができるようにしてもよい。また、これらの設定は手動で設定できてもよいし、自動的に予め既定しておいた値に設定されるようにしておいてもよい。また、テーブル内に存在しない制御装置からの再生指示に対しては予め既定しておいた動作をするようにしてもよい。
【００５７】
図４のコンテンツ再生装置１０１を構成する通信部１０１１、再生可否判断部１０１２は、上記説明した各種の電文や情報を処理する専用のハードウェア（専用回路）により実現可能である。また、これらの別の実現方法としては、通常、ソフトウェアでも実現可能である。すなわち、上記した動作内容をソフトウェアで記述してＲＯＭに記録しておき、共通のＭＰＵやメモリ上で当該ソフトウェアを実行するようにすればよい。なお、ＲＯＭは、書き換え可能ＲＯＭ等の不揮発性記録媒体が好適であるが、揮発性の記録媒体でも実現は可能である。
【００５８】
なお、本発明のコンテンツ再生装置、コンテンツ再生システムおよびコンテンツ再生方法は、ＤＬＮＡに準拠したコンテンツ再生方式を、更に改良することを目的の１つとしている。したがってサーバとコンテンツ再生装置において、ＤＬＮＡ（Ｄｉｇｉｔａｌ  Ｌｉｖｉｎｇ  Ｎｅｔｗｏｒｋ  Ａｌｌｉａｎｃｅ）規格準拠の通信プロトコルで通信ステップを有するとした。そのため、各情報、各電文の表記は、ＤＬＮＡに準拠した形態を一例として説明した。しかし、本発明は、ＤＬＮＡに準拠しないコンテンツ再生装置、コンテンツ再生システムに対しても適用可能である。
【００５９】
また、本発明は、以上の実施の形態に限定されることなく、実施の形態の構成、電文の内容や表現形式、フローチャートの手順について、種々の変更が可能であり、それらも本発明の範囲内に包含されるものであることは言うまでもない。
【産業上の利用可能性】
【００６０】
本発明にかかるコンテンツ再生装置、コンテンツ再生システムおよびコンテンツ再生方法は、ネットワーク上の制御装置からのコンテンツ再生指示に従いコンテンツの再生を行なうシステム、方法として有用である。
【符号の説明】
【００６１】
１０１    コンテンツ再生装置
１０２    制御装置Ａ
１０３    サーバ
１０４    ＬＡＮ
２０２    制御装置Ｂ
２０３    サーバ機能部
２０５    インターネット
１０１１、１０２１、２０２１    通信部
１０１２    通信可否判断部
１０１３、１０２３、２０２３    表示部
１０１４、１０２４、２０２４    入力部
１０１５    テレビ機能部
１０２２、２０２２    再生指示発行部
【図１】
2014112747.tif 000003
【図２】
2014112747.tif 000004
【図３】
2014112747.tif 000005
【図４】
2014112747.tif 000006
【図５】
2014112747.tif 000007
【図６】
2014112747.tif 000008
【図７】
2014112747.tif 000009
【図８】
2014112747.tif 000010
【図９】
2014112747.tif 000011
【図１０】
2014112747.tif 000012
【図１１】
2014112747.tif 000013